(57)【要約】【課題】  パンケーキコイルごとの負荷が均一になるようにしたパンケーキコイルの超電導コイル積層方法を提供する。【解決手段】  パンケーキコイルの超電導コイル積層方法において、パンケーキコイル１１〜１６の並列接続のペアＡ〜Ｃを作り、この並列接続のペアＡ〜Ｃの各ペアＡ，Ｂ，Ｃをそれぞれ直列に接続して電流を偏流させ、前記パンケーキコイル１１〜１６ごとの負荷が均一になるように構成した。【選択図】  図２
2015119060.tif 000002
【特許請求の範囲】
【請求項１】
パンケーキコイルの並列接続のペアを作り、該並列接続のペアの各ペアをそれぞれ直列に接続して電流を偏流させ、前記パンケーキコイルごとの負荷が均一になるように構成したことを特徴とするパンケーキコイルの超電導コイル積層方法。
【請求項２】
請求項１記載のパンケーキコイルの超電導コイル積層方法において、前記並列接続のペアは、磁場条件の厳しいパンケーキコイルと磁場条件の厳しくないパンケーキコイルを組み合わせることを特徴とするパンケーキコイルの超電導コイル積層方法。
【請求項３】
請求項２記載のパンケーキコイルの超電導コイル積層方法において、磁場条件の厳しさが、第１のパンケーキコイルと第６のパンケーキコイル＞第２のパンケーキコイルと第５のパンケーキコイル＞第３のパンケーキコイルと第４のパンケーキコイルである場合、第１のペアとして第１のパンケーキコイルと第４のパンケーキコイル、第２のペアとして第２のパンケーキコイルと第５のパンケーキコイル、第３のペアとして第３のパンケーキコイルと第６のパンケーキコイルと接続し、前記第１のペアに前記第２のペアを、該第２のペアに前記第３のペアを順次直列に接続することを特徴とするパンケーキコイルの超電導コイル積層方法。
【発明の詳細な説明】
【技術分野】
【０００１】
本発明は、パンケーキコイルの超電導コイル積層方法に関するものである。
【背景技術】
【０００２】
従来、高温超電導コイルの製作方法として、パンケーキコイルを複数製作して積層する手法がある。
【０００３】
また、本願発明者らによって超電導コイル装置（下記特許文献１参照）も提案されている。また、その他にも高温超電導パンケーキコイルおよび高温超電導コイルに関する提案がなされている（下記特許文献２参照）。
【０００４】
従来は、図３に示すように、通常積層されたパンケーキコイル１０１〜１０６は、リード線１０７を介してハンダ付けにより直列に接続されていた。
【先行技術文献】
【特許文献】
【０００５】
【特許文献１】特開２０１２−１９５４９０号公報
【特許文献２】特開２０１０−２６７８８７号公報
【発明の概要】
【発明が解決しようとする課題】
【０００６】
しかしながら、高温超電導線材は経験磁場によって通電性能が異なる。そのためコイル化した際には経験磁場の条件が厳しい一部の高温超電導線材のみ臨界電流に達し、コイル全体の通電電流が制限されてしまうといった問題があった。
【０００７】
本発明は、上記状況に鑑みて、パンケーキコイルごとの負荷が均一になるようにしたパンケーキコイルの超電導コイル積層方法を提供することを目的とする。
【課題を解決するための手段】
【０００８】
本発明は、上記目的を達成するために、
〔１〕パンケーキコイルの超電導コイル積層方法において、パンケーキコイルの並列接続のペアを作り、この並列接続のペアの各ペアをそれぞれ直列に接続して電流を偏流させ、前記パンケーキコイルごとの負荷が均一になるように構成したことを特徴とする。
【０００９】
〔２〕上記〔１〕記載のパンケーキコイルの超電導コイル積層方法において、前記並列接続のペアは、磁場条件の厳しいパンケーキコイルと磁場条件の厳しくないパンケーキコイルを組み合わせることを特徴とする。
【００１０】
〔３〕上記〔２〕記載のパンケーキコイルの超電導コイル積層方法において、磁場条件の厳しさが、第１のパンケーキコイルと第６のパンケーキコイル＞第２のパンケーキコイルと第５のパンケーキコイル＞第３のパンケーキコイルと第４のパンケーキコイルである場合、第１のペアとして第１のパンケーキコイルと第４のパンケーキコイル、第２のペアとして第２のパンケーキコイルと第５のパンケーキコイル、第３のペアとして第３のパンケーキコイルと第６のパンケーキコイルと接続し、前記第１のペアに前記第２のペアを、この第２のペアに前記第３のペアを順次直列に接続することを特徴とする。
【発明の効果】
【００１１】
本発明によれば、磁場条件の厳しいパンケーキコイルとそうでないパンケーキコイルをペアとすることにより、電流を偏流させパンケーキコイルごとの負荷が均一になるようにすることができる。よって、コイル全体としては通電電流が増加し、発生磁場およびコイルに蓄えられるエネルギーを増加させることができる。
【図面の簡単な説明】
【００１２】
【図１】本発明の実施例を示すパンケーキコイルの超電導コイル積層体を示す模式図である。
【図２】本発明の実施例を示すパンケーキコイルの直列接続例を示す模式図である。
【図３】従来のパンケーキコイルの直列接続例を示す模式図である。
【発明を実施するための形態】
【００１３】
本発明のパンケーキコイルの超電導コイル積層方法は、パンケーキコイルの並列接続のペアを作り、この並列接続のペアの各ペアをそれぞれ直列に接続して電流を偏流させ、前記パンケーキコイルごとの負荷が均一になるように構成した。
【実施例】
【００１４】
以下、本発明の実施の形態について詳細に説明する。
【００１５】
図１は本発明の実施例を示すパンケーキコイルの超電導コイル積層体を示す模式図、図２はそのパンケーキコイルの直列接続例を示す模式図である。
【００１６】
これらの図において、１はパンケーキコイル、２はパンケーキコイル１が積層された超電導コイル積層体、１１は第１のパンケーキコイル、１２は第２のパンケーキコイル、１３は第３のパンケーキコイル、１４は第４のパンケーキコイル、１５は第５のパンケーキコイル、１６は第６のパンケーキコイルである。
【００１７】
そこで、図２に示すように、パンケーキコイルの並列接続のペアＡ〜Ｃを作り、この並列接続のペアＡ〜Ｃの各ペアＡ，Ｂ，Ｃをそれぞれ直列に接続して電流を偏流させ、前記パンケーキコイルＡ，Ｂ，Ｃごとの負荷が均一になるように構成した。つまり、前記並列接続のペアＡ，Ｂ，Ｃは磁場条件の厳しいパンケーキコイルと磁場条件の厳しくないパンケーキコイルを組み合わせることを特徴とする。
【００１８】
例えば、図２に示すように、磁場条件の厳しさが、第１のパンケーキコイル１１と第６のパンケーキコイル１６＞第２のパンケーキコイル１２と第５のパンケーキコイル１５＞第３のパンケーキコイル１３と第４のパンケーキコイル１４である場合、第１のペアＡとして第１のパンケーキコイル１１と第４のパンケーキコイル１４、第２のペアＢとして第２のパンケーキコイル１２と第５のパンケーキコイル１５、第３のペアＣとして第３のパンケーキコイル１３と第６のパンケーキコイル１６を接続し、前記第１のペアＡに前記第２のペアＢを、この第２のペアＢに前記第３のペアＣを順次直列に接続する。
【００１９】
本発明によれば、上記したパンケーキコイルの超電導コイル積層方法とすることにより、並列接続のペアの各ペアをそれぞれ直列に接続して電流を偏流させ、前記パンケーキコイルごとの負荷が均一になるように構成することができる。つまり、前記並列接続のペアは磁場条件の厳しいパンケーキコイルと磁場条件の厳しくないパンケーキコイルを組み合わせるように構成した。
【００２０】
なお、本発明は上記実施例に限定されるものではなく、本発明の趣旨に基づき種々の変形が可能であり、これらを本発明の範囲から排除するものではない。
【産業上の利用可能性】
【００２１】
本発明のパンケーキコイルの超電導コイル積層方法は、パンケーキコイルごとの負荷が均一になるようにしたパンケーキコイルの超電導コイル積層方法として利用可能である。
【符号の説明】
【００２２】
１    パンケーキコイル
２    パンケーキコイルが積層された超電導コイル積層体
１１    第１のパンケーキコイル
１２    第２のパンケーキコイル
１３    第３のパンケーキコイル
１４    第４のパンケーキコイル
１５    第５のパンケーキコイル
１６    第６のパンケーキコイル
Ａ〜Ｃ    パンケーキコイルの並列接続のペア
【図１】
2015119060.tif 000003
【図２】
2015119060.tif 000004
【図３】
2015119060.tif 000005